(57)【要約】【課題】スカートガードの取外し順序の誤りによる、例えば機器の破損を防止することができる乗客コンベアを得る。【解決手段】この発明に係るエスカレーターは、隣接したスカートガード１，２，３間で上下方向の移動順序に制約があるスカートガード１，２，３には、一方のスカートガード１，２，３の端部に下側ブラケット４が設けられ、他方のスカートガード１，２，３の端部には、一方のスカートガード１，２，３が上下方向に移動した際に下側ブラケット４と干渉し、上下方向の移動を阻止する上側ブラケット５が設けられている。【選択図】図２
2014051364.tif 000002
【特許請求の範囲】
【請求項１】
踏段の両側に踏段に沿って配置され、かつ上下方向に移動して着脱される複数のスカートガードを有する乗客コンベアであって、
隣接した前記スカートガード間で上下方向の移動順序に制約があるスカートガードにおいて、
一方のスカートガードの端部には、前記踏段と反対側に突出した下側ブラケットが設けられ、
他方のスカートガードの端部には、前記踏段と反対側に突出した上側ブラケットが設けられ、
一方の前記スカートガードは、上下方向に移動する際に、前記下側ブラケットが他方の前記スカートガードの前記上側ブラケットと干渉し、上下方向の移動が阻止されることを特徴とする乗客コンベア。
【請求項２】
前記スカートガードの前記踏段と反対側には、別体固定部品を介して別体型機器が配置されており、
前記別体固定部品は、前記スカートガードを支持した下アングルに、隣接する未取付のスカートガードのスペースの部位に固定されることを特徴とする請求項１に記載の乗客コンベア。
【請求項３】
前記スカートガードの前記踏段と反対側には、一体型機器が取付けられており、
前記一体型機器の近傍には、前記スカードガードが上下方向に移動した時に一体型機器が周辺の機器と干渉することを防止する干渉防止用ブラケットが設けられていることを特徴とする請求項１または２に記載の乗客コンベア。
【請求項４】
前記別体型機器から導出するケーブルの結線部位は、前記スペースに設けられていることを特徴とする請求項２に記載の乗客コンベア。
【請求項５】
前記一体型機器から導出するケーブルの結線部位は、前記スペースに設けられていることを特徴とする請求項３に記載の乗客コンベア。
【請求項６】
前記別体固定部品と前記下側ブラケットとが一体で構成されていることを特徴とする請求項２〜５の何れか１項に記載の乗客コンベア。
【請求項７】
前記別体固定部品と前記上側ブラケットとが一体で構成されていることを特徴とする請求項２〜６の何れか１項に記載の乗客コンベア。
【請求項８】
前記スカートガード、インナーデッキ、アウターデッキ及び外装により形成された筐体内部には、前記スカートガードの着脱時に、取り外す順序に制約があるスカートガードであることを示す注意喚起ラベル、及び前記スカートガードの着脱作業要領を表示した作業要領ラベルを設けたことを特徴とする請求項１〜７の何れか１項に記載の乗客コンベア。
【請求項９】
乗客コンベアは、エスカレーターであることを特徴とする請求項１〜８の何れか１項に記載の乗客コンベア。
【発明の詳細な説明】
【技術分野】
【０００１】
この発明は、踏段の両側に踏段に沿って配置され、かつ上下方向に移動して着脱される複数のスカートガードを有する乗客コンベアに関するものである。
【背景技術】
【０００２】
従来、スカートガードの裏側に、踏段上の物体が近づいたことを検知する近接センサーと、この近接センサーにより物体が近づいたことを検知したとき、光を放射する警告ランプが配置された乗客コンベアが知られている（例えば、特許文献１参照）。
【先行技術文献】
【特許文献】
【０００３】
【特許文献１】特開２００４-１４２８４３号公報（図１）
【発明の概要】
【発明が解決しようとする課題】
【０００４】
しかしながら、このように上下に移動して着脱するスカートガードの裏側にセンサー等の機器を設置した場合、隣接したスカートガードとの取外し順序を誤ると、スカートガードを上方向に移動して乗客コンベア本体から取外す際に、このスカートガードが近接センサー等の機器と干渉し、機器を破損させてしまうという問題点があった。
【０００５】
この発明は、かかる問題点を解決することを課題とするものであって、スカートガードの取外し順序の誤りによる、例えば機器の破損が生じるのを防止することができる乗客コンベアを得ることを目的とする。
【課題を解決するための手段】
【０００６】
この発明に係る乗客コンベアは、踏段の両側に踏段に沿って配置され、かつ上下方向に移動して着脱される複数のスカートガードを有する乗客コンベアであって、
隣接した前記スカートガード間で上下方向の移動順序に制約があるスカートガードにおいて、
一方のスカートガードの端部には、前記踏段と反対側に突出した下側ブラケットが設けられ、
他方のスカートガードの端部には、前記踏段と反対側に突出した上側ブラケットが設けられ、
一方の前記スカートガードは、上下方向に移動する際に、前記下側ブラケットが他方の前記スカートガードの前記上側ブラケットと干渉し、上下方向の移動が阻止される。
【発明の効果】
【０００７】
この発明の乗客コンベアによれば、隣接したスカートガード間で上下方向の移動順序に制約があるスカートガードには、一方のスカートガードの端部に下側ブラケットが設けられ、他方のスカートガードの端部には、一方のスカートガードが上下方向に移動した際に下側ブラケットと干渉し、上下方向の移動を阻止する上側ブラケットが設けられているので、スカートガードの取外し順序の誤りにより生じる、例えば機器の破損を防止することができる。
【図面の簡単な説明】
【０００８】
【図１】この発明の実施の形態１におけるエスカレーターの要部を示す側面図である。
【図２】図１のスカートガードを示す側面図である。
【図３】図１のエスカレーターの要部正断面図である。
【図４】図１のエスカレーターの要部正断面図である。
【図５】図１の下側ブラケット及び上側ブラケットを示す斜視図である。
【図６】図１の別体固定部品及び別体型センサーを示す斜視図である。
【図７】スカートガードの作業要領ラベルを示す図である。
【図８】スカートガードの注意喚起ラベルを示す図である。
【図９】スカートガードの着脱順序をラベルにより誘導するフロー図である。
【図１０】従来のエスカレーターのスカートガードと図１のスカートガードの分割数を示す図である。
【図１１】この発明の実施の形態２における乗客コンベアの移動規制部品を示す斜視図である。
【発明を実施するための形態】
【０００９】
以下、この発明を各実施の形態について図に基づいて説明するが、各図において同一、または相当部材、部位については、同一符号を付して説明する。
【００１０】
実施の形態１.
図１はこの発明の実施の形態１における乗客コンベアであるエスカレーターの要部を示す側面図、図２は図１のスカートガード１，２，３を示す側面図、図３及び図４は図１のエスカレータの要部正断面図である。なお、図１では、注意喚起ラベル９ｂは省略されている。
このエスカレーターでは、踏段１９の両側に、僅かな隙間を保持してスカートガード１，２，３が設けられている。また、踏段１９の両側には、欄干２０が設けられている。
この欄干２０の上部に往路の手摺１３Ａが設けられている。欄干２０とスカードガード１，２，３との間には、両者の隙間を塞ぐためのインナーデッキ１８が設けられている。
このインナーデッキ１８の欄干２０を境にして外側には、アウターデッキ３０及び外装２１が設けられている。また、スカートガード１，２，３、インナーデッキ１８、アウターデッキ３０及び外装２１により形成された筐体内部３１には、帰路の手摺１３が設けられている。
【００１１】
スカートガード１，２，３の裏側（外装２１側）には、踏段１９の進行方向に延び、互いに対向した下アングル１２及び上アングル１６が設けられている。
各スカートガード１，２，３は、スカートガード１，２，３の下端部に取付けられた固定式クリップ１７を下アングル１２に押し込み、上アングル１６にボルト（図示せず）で固定されている。
このスカートガード１，２，３の裏側であって、エスカレータの各上部側となるスカートガード１，２、３の端部には図５に示す、Ｌ字形状の下側ブラケット４が取付けられており、またエスカレータの各下部側となるスカートガード１，２、３の端部には図５に示す、Ｌ字形状の上側ブラケット５が取付けられている。
この上側ブラケット５は、下側ブラケット４よりも上側に配置されており、また先端部が踏段１９に沿って突出して、スカートガード１，２，３から露出している。
【００１２】
下側ブラケット４の下側には、下アングル１２にボルト３２により固定された別体固定部品８が設けられている。この別体固定部品８には、踏段１９上の物体がスカートガード１，２，３側に接近したことを検知する、別体型機器である別体型センサー７が取付けられている。
また、スカートガード１，２，３の裏側には、一体型機器である一体型センサー６が直接取付けられている。この一体型センサー６も別体型センサー７と同様の機能を有している。
【００１３】
上アングル１６には、Ｌ字形状の金具３５を介してボルト３３により配線用箱９が固定されている。
この配線用箱９内の機器（図示せず）は、センサーケーブル１０を通じて一体型センサー６及び別体型センサー７と電気的に接続されている。
これらのセンサーケーブル１０は、先端部で機器と結線されている。
また、一対ある一体型センサー６のうち、上側の一体型センサー６の両側には、Ｌ字形状の干渉防止用ブラケット１５が設けられている。
【００１４】
配線用箱９には図７に示した作業要領ラベル９ａが貼付されている。
また、各スカートガード１，２，３には、図８に示した注意喚起ラベル９ｂが貼付されている。
この作業要領ラベル９ａは、簡易的な作業指示で、詳細を示す資料番号を記載してあり、詳しい内容を知りたい場合に必要な資料に導く役割も担っている。
【００１５】
次に、スカートガード１，２，３を下アングル１２及び上アングル１６に取付ける手順について説明する。
先ず、下部スカートガード１の固定式クリップ１７を下アングル１２に押し込み、また下部スカートガード１を上アングル１６に固定する。
次に、下部スカートガード１と同様にして、中部スカートガード２を下アングル１２及び上アングル１６に取付ける。この中部スカートガード２の固定の際には、帰路の手摺１３の上側に配置される、一体型センサー６については予めスカートガード２に実装されている。
【００１６】
この後、別体固定部品８に取付けられた別体型センサー７を、中部スカートガード２の横の空きスペースから筐体内部３１内に挿入し、別体型センサー７のレンズ３４のある前面部を光軸の検出範囲で微調整をして中部スカートガード２の窓部（図示せず）に挿入した後、別体固定部品８をボルト３２を用いて下アングル１２に固定する。
【００１７】
中部スカートガード２では帰路の手摺１３の下側に別体型センサー７（図３参照）が配置されており、予め中部スカートガード２に別体型センサー７が取付けられていた場合には、中部スカートガード２を下アングル１２に取付ける際に帰路の手摺１３に干渉してしまう。
しかしながら、このように、中部スカートガード２を下アングル１２及び上アングル１６に取付けた後、隣接した上部スカートガード３が取付ける前のスペースから別体固定部品８を介して別体型センサー７を取付けており、そのような不都合は生じない。
【００１８】
次に、配線用箱９を金具３５を介してボルト３３を用いて上アングル１６に固定し、配線用箱９内の電気部品と各一体型センサー６及び別体型センサー７とをセンサーケーブル１０を用いて電気的に接続する。
最後に、上部スカートガード３を下部スカートガード１と同様にして、上部スカートガード３の固定式クリップ１７を下アングル１２に押し込み、また上部スカートガード３を上アングル１６に固定する。
【００１９】
次に、スカートガード１，２，３を下アングル１２及び上アングル１６から取外す手順について説明する。この取外しの順序は、取付けの順序と逆である。
先ず、上部スカートガード３を上方向に移動させて下アングル１２及び上アングル１６から取り外す。
次に、ボルト３２を緩めてから中部スカートガード２の窓部から別体型センサー７の前面部から抜き出す位置まで別体固定部品８を後退させる。また、センサーケーブル１０の先端部を配線用箱９内の電気機器から外す。
この後、中部スカートガード２を上方向に移動させて下アングル１２及び上アングル１６から取り外す。
最後に、下部スカートガード１を上方向に移動させて下アングル１２及び上アングル１６から取り外す。
【００２０】
ところで、スカートガード１，２，３を下アングル１２及び上アングル１６から取外す手順を間違え、上部スカートガード３を取り外す前に、中部スカートガード２を取り外そうとした場合、中部スカートガード２の窓部に前面部が挿入されている別体型センサー７が破損してしまうことが想定される。
これに対しては、中部スカートガード２の下側ブラケット４が上部スカートガード３の上側ブラケット５に干渉することで、中部スカートガード２の上側への移動は阻止される。
このように、この実施の形態のエスカレーターでは、スカートガード１，２，３が誤った手順では取外しができないように制約し、正しい手順に誘導し取外し順序の間違いによる機器の破損の防止をすることができる。
【００２１】
また、この実施の形態では、作業要領ラベル９ａが配線用箱９に取付けられており、注意喚起ラベル９ｂが各スカートガード１，２，３に対応して上アングル１６に取付けられている。
従って、作業者は、スカートガード１，２，３を取り外す際には、注意喚起ラベル９ｂ、作業要領ラベル９ａを視認して作業が進められる。
【００２２】
スカートガード１，２，３を外す作業者に求められる作業フローは図９に示すとおりだが、インナーデッキ１８を取外すと、各スカートガード１，２，３の取外しに手順がある旨を示す注意喚起ラベル９ｂを作業者は確認できる。従って、取り外す手順に制約のない大半のエスカレータでは意識する必要がなく、制約がある場合は確実にその制約に気付くことができる。
また、作業者は各スカートガード１，２，３が上部、中部及び下部の何れのスカートガード１，２，３であるかを予め記されたマーキングから知ることができる。
そして、上部スカートガード３が取り外された後、作業者は、配線用箱９に貼付された作業要領ラベル９ａを視認し、作業を進めることができる。
【００２３】
この実施の形態によるエスカレーターによれば、隣接したスカートガード１，２，３間で上下方向の移動順序に制約があるスカートガード１，２，３には、一方のスカートガード１，２，３の端部に下側ブラケット４が設けられ、他方のスカートガード１，２，３の端部には、一方のスカートガード１，２，３が上下方向に移動した際に下側ブラケット４と干渉し、上下方向の移動を阻止する上側ブラケット５が設けられている。
【００２４】
従って、スカートガード１，２，３を誤った手順による取外しが防止され、誤った手順による別体型センサー７の破損を防ぐことができる。
【００２５】
また、図１０に示すように、既に建物に設置されているエスカレーターのスカートガード１４を交換して着脱手順の誘導、制約の機能を持たす場合でも、センサー６，７が実装されたスカートガード１４のみ、例えば既設で２枚分のスカードガード１４を３枚に細分割して構成すればよく、他のスカートガード１４を変更する必要はない。
また、スカートガード１，２，３の裏面近傍の機器と干渉する恐れがあるスカートガード内包機器が複数ある場合でも、このスカートガードのみを細分割することにより、スカートガードの交換枚数を必要最小限に抑えて変更することができる。
【００２６】
このように、既設のエスカレーターのスカートガード１４に着脱手順の誘導、制約の機能を持たせたい場合でも、既存の全てのスカートガードを交換する必要が無く、該当するスカートガードのみに下側ブラケット４、上側ブラケット５を設けることで対応することができ、スカートガードの交換枚数を最小限に抑えることで現地での作業を減らし、作業時間を短縮できる。
【００２７】
また、中部スカードガード２の裏面の別体型センサー７は、隣接する上部スカートガード３（未取付）ののスペースを利用して別体固定部品８をボルト３２により下アングル１２に固定することで、裏面に配置されるので、別体型センサー７の取付け及び取外し作業を円滑に行なうことができる。
また、各センサー６，７から導出したセンサーケーブル１０が配線用箱９内の電気機器と接続されているが、配線用箱９及び結線部位は上部スカートガード３のスペースにあり、一体型センサー６及び別体型センサー７のセンサーケーブル１０の取付け及び取外し作業を円滑に行なうことができ、またその確認を簡単に行なうことができる。
【００２８】
また、一体型センサー６の近傍には、中部スカードガード２が上方向に移動した時に一体型センサー６が周辺機器（図示せず）と干渉するのを防止する干渉防止用ブラケット１５が設けられている。
従って、作業者が中部スカートガード２を上側方向に移動した際に上アングル１６と干渉する可能性があるが、干渉防止用ブラケット１５との干渉による一体型センサー６の破損を未然に防ぐことができる。
【００２９】
実施の形態２.
図１１はこの発明の実施の形態２のエスカレーターの移動規制部品付き別体固定部品４０を示す斜視図である。
この移動規制部品付き別体固定部品４０は、実施の形態１の別体固定部品８及び下側ブラケット４を一体にしたものであり、別体固定部８Ａと下側ブラケット部４Ａとから構成されている。
他の構成は、実施の形態１のエスカレーターと同じである。
物体固定部８Ａは、別体固定部品８の機能と同じであり、また下側ブラケット部４Ａは、下側ブラケット４の機能と同じである。
【００３０】
この実施の形態では、スカートガード１，２，３の取外しの順序を誤り、上部スカートガード３の前に、先に中部スカートガード２を取り外そうとしたとき、下側ブラケット部４Ａは上側ブラケット５と干渉するので、取外しの順序を誤ったことによる一体型センサー６及び別体型センサー７の破損を防止することができる。
また、スカートガード２に下側ブラケット４を設ける必要がなくなり、下側ブラケット４を設けるために構造変更するスカートガード２の枚数を減らすことができるという効果もある。
なお、別体固定部品８及び上側ブラケット５を一体としたものであっても上記移動規制部品付き別体固定部品４０と同様の効果を得ることができる。
【００３１】
なお、上記各実施の形態では、スカートガード１，２，３に一体型センサー６、別体型センサー７を実装したエスカレーターについて説明したが、センサー６，７以外の機器を実装したエスカレーターについても適用することができるのは勿論である。
また、スカートガード１，２，３に機器が実装されていない場合であっても、例えばスカートガードの着脱の安全・品質等の理由において着脱順序に制約を設けたい場合にも利用できることは言うまでもない。
また、乗客コンベアとして動く歩道にも、この発明は適用できる。
【符号の説明】
【００３２】
１  下部スカートガード、２  中部スカートガード、３  上部スカートガード、４  下側ブラケット、４Ａ  下側ブラケット部、５  上側ブラケット、６  一体型センサー（一体型機器）、７  別体型センサー（別体型機器）、８  別体固定部品、８Ａ  別体固定部、９  配線用箱、９ａ  作業要領ラベル、９ｂ  注意喚起ラベル、１０  センサーケーブル、１２  下アングル、１３  帰路の手摺、１３Ａ  往路の手摺、１４  既設スカートガード、１５  干渉防止用ブラケット、１６  上アングル、１７  固定式クリップ、１８  インナーデッキ、１９  踏段、２０  欄干、２１  外装、３０  アウターデッキ、３１  筐体内部、３２，３３  ボルト、３４  レンズ、３５  金具、４０  移動規制部品付別体固定部品。
【図１】
2014051364.tif 000003
【図２】
2014051364.tif 000004
【図３】
2014051364.tif 000005
【図４】
2014051364.tif 000006
【図５】
2014051364.tif 000007
【図６】
2014051364.tif 000008
【図７】
2014051364.tif 000009
【図８】
2014051364.tif 000010
【図９】
2014051364.tif 000011
【図１０】
2014051364.tif 000012
【図１１】
2014051364.tif 000013